【手続補正書】
【提出日】平成30年7月18日(2018.7.18)
【手続補正１】
【補正対象書類名】特許請求の範囲
【補正対象項目名】全文
【補正方法】変更
【補正の内容】
【特許請求の範囲】
【請求項１】
同時性検出および実施のためのシステムであって、
少なくとも１つのサーバを含み、前記少なくとも１つのサーバは、
メディア再生デバイス上で提示されるべきメディアコンテンツアイテムに関係するメディアコンテンツライセンスについての要求を受信することを行うように構成されており、前記メディアコンテンツライセンスについての前記要求はユーザアカウントに関連付けられており、前記少なくとも１つのサーバは、
前記メディアコンテンツライセンスについての前記要求に応答して、前記メディアコンテンツアイテムに関連付けられる１つ以上のキーと、制限されたライセンス期間および更新要求間隔を含むポリシーを含むライセンスとを前記メディア再生デバイスに送信することと、
前記メディア再生デバイス上で提示される前記メディアコンテンツアイテムに関係するライセンス更新についての要求を、前記更新要求間隔内のある時間において、受信することと、
前記ユーザアカウントに関連付けられる複数のメディア再生デバイスにわたるメディアセッション同時性に基づき、前記メディアコンテンツアイテムについて前記ライセンス更新を発行するべきかどうか決定することとを行うように構成されており、前記決定は、前記ユーザアカウントについて所与の期間に発行されるライセンス更新のレコードについてクエリ送信することを含んでおり、前記少なくとも１つのサーバはさらに、
前記ユーザアカウントに関連付けられるライセンス更新の前記レコードに基づいて、前記メディア再生デバイスに前記ライセンス更新を送信することを行うように構成される、システム。
【請求項２】
前記少なくとも１つのサーバはさらに、前記制限されたライセンス期間および前記更新要求間隔のうちの少なくとも１つを修正するように構成される、請求項１に記載のシステム。
【請求項３】
前記修正は、前記ユーザアカウントについて所与の期間に発行されるライセンス更新の前記レコードを検討することと、ライセンス更新の前記レコードが、前記ユーザアカウントに関連付けられる前記複数のメディア再生デバイスによるライセンス更新要求の抑制を示すと決定することとに応答して、行なわれる、請求項２に記載のシステム。
【請求項４】
前記修正は、サーバ停止を検出することに応答して実行される、請求項２に記載のシステム。
【請求項５】
前記ライセンスにおける前記１つ以上のキーが無効化されるべきであると決定することに応答して、前記ライセンス更新に関連付けられる前記制限されたライセンス期間は０の期間を有する、請求項１〜４のいずれか１項に記載のシステム。
【請求項６】
前記少なくとも１つのサーバはさらに、非継続のために、前記レコード内で以前に発行されたライセンスを同時に示しながら、前記メディアコンテンツアイテムについての前記制限されたライセンス期間の前記ライセンスを前記メディア再生デバイスに自動的に送信するように構成される、請求項１〜５のいずれか１項に記載のシステム。
【請求項７】
前記少なくとも１つのサーバはさらに、
前記ユーザアカウントについて前記所与の期間に発行されるライセンス更新の前記レコードを検討することと、
複数の実施モードから前記ユーザアカウントに適用するべき実施モードを決定することと、
前記ライセンス更新を発行する際に、決定された前記実施モードを適用することとを行うように構成され、前記制限されたライセンス期間および前記更新要求間隔のうちの少なくとも１つが調節される、請求項１〜６のいずれか１項に記載のシステム。
【請求項８】
前記少なくとも１つのサーバはさらに、前記ライセンス更新についての前記要求を処理するための複数のライセンスサーバのリストを、前記メディア再生デバイス上で実行されるメディア再生アプリケーションに送信するように構成され、前記メディア再生アプリケーションは、前記複数のライセンスサーバのうちの第１のライセンスサーバに前記ライセンス更新についての前記要求を送信し、かつ、前記第１のライセンスサーバが利用不可能であることを検出する際および前記ライセンスの終了に先立って、前記メディアコンテンツライセンスについての前記ライセンス更新が受信されるまで、前記複数のライセンスサーバのうちの第２のライセンスサーバに前記要求を送信する、請求項１〜７のいずれか１項に記載のシステム。
【請求項９】
前記少なくとも１つのサーバは、
前記所与の期間内に、前記ユーザアカウントに関連付けられるライセンス更新の数を数えることにより、前記ライセンス更新を発行するべきかどうか決定することと、
前記数に基づいて、前記メディア再生デバイスに前記ライセンス更新を送信することとを行うようにさらに構成される、請求項１〜８のいずれか１項に記載のシステム。
【請求項１０】
前記少なくとも１つのサーバはさらに、ライセンス更新の前記レコードにアクセスすることができないことに応答して、自動的に前記ライセンス更新を発行する緊急更新モードに入るべきかどうか決定するように構成される、請求項１〜９のいずれか１項に記載のシステム。
【請求項１１】
同時性検出および実施のための方法であって、
ハードウェアプロセッサを含む少なくとも１つのサーバを使用して、メディア再生デバイス上で提示されるべきメディアコンテンツアイテムに関係するメディアコンテンツライセンスについての要求を受信することを含み、前記メディアコンテンツライセンスについての前記要求はユーザアカウントに関連付けられており、前記方法はさらに、
前記メディアコンテンツライセンスについての前記要求に応答して、前記メディアコンテンツアイテムに関連付けられる１つ以上のキーと、制限されたライセンス期間および更新要求間隔を含むポリシーを含むライセンスとを前記メディア再生デバイスに送信することと、
前記メディア再生デバイス上で提示される前記メディアコンテンツアイテムに関係するライセンス更新についての要求を、前記更新要求間隔内のある時間において、受信することと、
前記ユーザアカウントに関連付けられる複数のメディア再生デバイスにわたるメディアセッション同時性に基づき、前記メディアコンテンツアイテムについて前記ライセンス更新を発行するべきかどうか決定することとを含み、前記決定は、前記ユーザアカウントについて所与の期間に発行されるライセンス更新のレコードについてクエリ送信することを含んでおり、前記方法はさらに、
前記ユーザアカウントに関連付けられるライセンス更新の前記レコードに基づいて、前記メディア再生デバイスに前記ライセンス更新を送信することを含む、方法。
【請求項１２】
前記制限されたライセンス期間および前記更新要求間隔のうちの少なくとも１つを修正することをさらに含む、請求項１１に記載の方法。
【請求項１３】
前記修正は、前記ユーザアカウントについて所与の期間に発行されるライセンス更新の前記レコードを検討することと、ライセンス更新の前記レコードが、前記ユーザアカウントに関連付けられる前記複数のメディア再生デバイスによるライセンス更新要求の抑制を
示すと決定することとに応答して、行なわれる、請求項１２に記載の方法。
【請求項１４】
前記修正は、サーバ停止を検出することに応答して実行される、請求項１２に記載の方法。
【請求項１５】
前記ライセンスにおける前記１つ以上のキーが無効化されると決定することに応答して、前記ライセンス更新に関連付けられる前記制限されたライセンス期間は０の期間を有する、請求項１１〜１４のいずれか１項に記載の方法。
【請求項１６】
非継続のために、前記レコード内で以前に発行されたライセンスを同時に示しながら、前記メディアコンテンツアイテムについての前記制限されたライセンス期間の前記ライセンスを前記メディア再生デバイスに自動的に送信することをさらに含む、請求項１１〜１５のいずれか１項に記載の方法。
【請求項１７】
前記ユーザアカウントについて前記所与の期間に発行されるライセンス更新の前記レコードを検討することと、
複数の実施モードから前記ユーザアカウントに適用するべき実施モードを決定することと、
前記ライセンス更新を発行する際に、決定された前記実施モードを適用することとをさらに含み、
前記制限されたライセンス期間および前記更新要求間隔のうちの少なくとも１つが調節される、請求項１１〜１６のいずれか１項に記載の方法。
【請求項１８】
前記ライセンス更新についての前記要求を処理するための複数のライセンスサーバのリストを、前記メディア再生デバイス上で実行されるメディア再生アプリケーションに送信することをさらに含み、前記メディア再生アプリケーションは、前記複数のライセンスサーバのうちの第１のライセンスサーバに前記ライセンス更新についての前記要求を送信し、かつ、前記第１のライセンスサーバが利用不可能であることを検出する際および前記ライセンスの終了に先立って、前記メディアコンテンツライセンスについての前記ライセンス更新が受信されるまで、前記複数のライセンスサーバのうちの第２のライセンスサーバに前記要求を送信する、請求項１１〜１７のいずれか１項に記載の方法。
【請求項１９】
前記所与の期間内に、前記ユーザアカウントに関連付けられるライセンス更新の数を数えることにより、前記ライセンス更新を発行するべきかどうか決定することと、
前記数に基づいて、前記メディア再生デバイスに前記ライセンス更新を送信することとをさらに含む、請求項１１〜１８のいずれか１項に記載の方法。
【請求項２０】
ライセンス更新の前記レコードにアクセスすることができないことに応答して自動的に前記ライセンス更新を発行する緊急更新モードに入るべきかどうか決定することをさらに含む、請求項１１〜１９のいずれか１項に記載の方法。
【請求項２１】
１以上のプロセッサによって実行されるコンピュータプログラムであって、プロセッサによって実行されることにより前記プロセッサに請求項１１〜２０のいずれか１項に記載の方法を実現させるコンピュータ実行可能命令を含む、コンピュータプログラム。
【手続補正２】
【補正対象書類名】明細書
【補正対象項目名】発明の名称
【補正方法】変更
【補正の内容】
【発明の名称】繰り返されるライセンス更新によるメディアセッション同時性管理のためのシステム、方法およびコンピュータプログラム